(57)【要約】【課題】  ペン型入力手段の紛失を防止することができるとともに、通信環境を向上させることのできる携帯電話端末を提供すること。【解決手段】  ペン型入力手段７の端部７ｂを長尺のワイヤ９を介して無線通信部１６と接続するとともに、前記ワイヤ９の少なくとも一部は電波送受信可能に形成し、前記ワイヤ９を巻取るワイヤ巻き取り機構１１を内蔵する。【選択図】      図１
2005244881.tif 000002
【特許請求の範囲】
【請求項１】
表示パネルにタッチセンサが備えられた入力表示装置と、この入力表示装置の操作を行なうペン型入力手段と、無線通信部とを有する携帯電話端末において、
前記ペン型入力手段は長尺のワイヤを介して無線通信部に接続されるとともに、前記ワイヤの少なくとも一部は電波送受信可能に形成され、前記ワイヤを巻取るワイヤ巻き取り機構が内蔵されていることを特徴とする携帯電話端末。
【請求項２】
内蔵されている他のアンテナを有し、前記無線通信部に前記他のアンテナを接続した請求項1に記載の携帯電話端末。
【発明の詳細な説明】
【技術分野】
【０００１】
本発明は、表示パネルにタッチセンサが備えられた入力表示装置とペン型入力手段とを有する携帯電話端末に係り、特に、ペン型入力手段を収納および引き出すことのできる携帯電話端末に関する。
【背景技術】
【０００２】
従来から、表示パネル上にタッチセンサを備え、このタッチセンサを操作することにより通信および編集を行なうことのできる携帯電話端末が使用されてきた。そして、近年の携帯電話端末の小型化により、タッチセンサの操作を指により行なうことが困難となるため、入力ペンを含むペン型入力手段を用いてタッチセンサの操作を行なう携帯電話端末がある。
【０００３】
このような従来の携帯電話端末の一例としては、電波の送受信を行なうアンテナと、このアンテナと接続され無線電波の送受信の制御を行なう無線通信部と、音声を入力するマイクと、受信した電波を音声に変換するスピーカーと、液晶表示パネル（ＬＣＤ）と、接触して入力を行なうタッチセンサと、内部記憶部と、全体の制御をつかさどる制御部とを有しており、前記タッチセンサが前記ＬＣＤに備えられた入力表示装置が構成されている。また、前記携帯電話端末は、前記入力表示装置の操作を行なうペン型入力手段を有している。
【０００４】
また、前記ＬＣＤは、文字や図形を表示するためのものであり、前記タッチセンサは、ペンや指で触れた位置の座標を出力する透明タッチセンサである。よって、前記ペン型入力手段を使用して入力表示装置に線や文字を入力することにより入力操作を行なうようになっている。
【０００５】
また、前記内部記憶部は、前記携帯電話端末を動作させるための種々の情報を記憶するものであり、文字、記号、線、図形等のデータを格納した辞書を有している。さらに、この内部記憶部は、前記入力表示装置に表示された表示と表示に対応する機能とを対応づける機能テーブルを有している。この機能テーブルは、例えば、ある画面表示に対応する座標群と、その画面表示に対応する電話番号とを格納している。
【０００６】
さらに、前記制御部は、前記携帯電話端末の制御を行なうものであり、電話機能を実行する場合には、所定の電話番号に対して発信が指示されると、無線制御部を制御して発呼動作を行い、また、着信があった場合にも、無線制御部を制御して通話可能状態とする。また、タッチセンサにペン型入力手段等により入力操作が行われると、その入力操作に応じた動作を指示するようになっている。例えば、前記入力表示装置にテンキーが表示され、表示されたキー上のタッチセンサをペン型入力手段等により順にタッチして所望の電話番号を入力することにより、制御部において発呼動作を行なうことができる（例えば、特許文献１参照）。
【０００７】
また、近年、アンテナを筐体内に内蔵した携帯電話端末が多く使用されている。
【０００８】
このようなアンテナを内蔵した携帯電話端末の一例としては、ヒンジを介して折り畳み可能に接合された上側筐体と下側筐体とから構成されており、前記上側筐体の内側の主面には液晶表示装置が設置され、前記下側筐体の内側の主面にはキーボード面が配置されている。
【０００９】
そして、前記下側筐体のヒンジ部近傍には、外側の斜め上方に突出したアンテナエリアを構成する突出部が形成されており、この突出部にアンテナ装置が内蔵されている（例えば、特許文献２参照）。
【００１０】
【特許文献１】特開平０９−０６４９５９号公報
【特許文献２】特開２００４−００７３１０号公報
【発明の開示】
【発明が解決しようとする課題】
【００１１】
しかしながら、近年、携帯電話端末の小型化および多機能化により、表示パネルにタッチセンサを備えた入力表示装置を構成した場合、指による操作が困難となり、これに対して、指に代わり操作を可能とする入力ペン等のペン型入力手段を用いると、ペン型入力手段を紛失しやすいという問題がある。
【００１２】
本発明はこのような問題点に鑑みてなされたもので、ペン型入力手段の紛失を防止することができるとともに、通信環境を向上させることのできる携帯電話端末を提供することを目的としている。
【課題を解決するための手段】
【００１３】
前述した目的を達成するため本発明に係る携帯電話端末の特徴は、表示パネルにタッチセンサが備えられた入力表示装置と、この入力表示装置の操作を行なうペン型入力手段と、無線通信部とを有する携帯電話端末において、前記ペン型入力手段は長尺のワイヤを介して無線通信部に接続されるとともに、前記ワイヤの少なくとも一部は電波送受信可能に形成され、前記ワイヤを巻取るワイヤ巻き取り機構が内蔵されている点にある。
【００１４】
また、本発明に係る携帯電話端末の他の特徴は、内蔵されている他のアンテナを有し、前記無線通信部に前記他のアンテナを接続した点にある。
【発明の効果】
【００１５】
本発明の携帯電話端末によれば、ペン型入力手段により入力表示装置に対する操作が容易になるとともに、ペン型入力手段に接続されているワイヤがアンテナとして機能するため、携帯電話端末の通信環境を確保することができる。
【００１６】
また、ペン型入力手段がワイヤと接続され、このワイヤを巻き取るワイヤ巻き取り機構が内蔵されているため、ペン型入力手段を使用していないときには、ペン型入力手段が携帯電話端末内に収納され、ペン型入力手段を紛失してしまうことを防止することができる。
【００１７】
さらに、アンテナの機能を有する長尺のワイヤと、内蔵されたアンテナとにより、携帯電話端末の通信環境を向上させることができる。
【発明を実施するための最良の形態】
【００１８】
以下、図面を用いて本発明に係る携帯電話端末の実施形態について説明する。
【００１９】
図１は本発明の携帯電話端末の実施形態を示す一部破断の正面図、図２図１の携帯電話端末の構成を示すブロック図、図３および図４は本実施形態の携帯電話端末の入力表示装置の表示例を示す説明図である。
【００２０】
本実施形態の携帯電話端末１は、図１に示すように、略矩形状の筐体２を有し、前記筐体２内の前面側には、ＬＣＤからなる表示パネルにタッチセンサを備えた構成とされる入力表示装置３と、複数の入力キー４と、音声入力用のマイク５と、音声出力用のスピーカ６とが配設されている。
【００２１】
また、図１に示す、前記筐体２の上面には開口（図示せず）が形成されており、この開口から後述するペン型入力手段７の一方の端部が突出するように収納されている。
【００２２】
前記ペン型入力手段７は導電性材料から構成されており、一方の端部には、前記入力表示装置３において入力および編集操作を行なうための先細のペン先７ａが形成されており、他方の端部７ｂには、導電性材料からなり電波送受信可能なアンテナ機能を有するワイヤ９が接続されており、前記ペン先７ａが形成された端部は前記筐体２の上面から突出するようになっている。
【００２３】
さらに、前記筐体２内の上端部には、導電性の板状のアンテナ８が内蔵されており、このアンテナ８とワイヤ９を巻き取るワイヤ巻き取り機構１１は導電性の配線１０により接続されている。
【００２４】
前記ワイヤ巻き取り機構１１は全体が導電性材料により構成されており、前記筐体２内の下端部に形成され前記ワイヤ９を平面的に収納するケーシング１２内に取付軸１３が設けられ、この取付軸１３にプーリ１４が回転自在に取付けられ、このプーリ１４の外周に前記ワイヤ９が渦巻き状に巻き付けられており、前記プーリ１４から引き出されたワイヤ９が、ばね１５により自動的に巻き戻されるように構成されている。
【００２５】
前記ばね１５には渦巻きばねや捩じりコイルばね等が用いられ、一端が前記プーリ１４に取付けられるとともに、他端が前記取付軸１３に取付けられ、前記ワイヤ９が引き出されると前記ばね１５が圧縮変形し、前記ワイヤ９の固定が解除されると前記ばね１５の復元力により前記ワイヤ９が自動的に巻き戻されるようになっている。
【００２６】
前記ワイヤ９は、その基部が前記プーリ１４に取付けられるとともに、前記ペン型入力手段７の端部７ｂに接続されており、前記プーリ１４の回転により前記ペン型入力手段７の引き出しおよび収納が可能になっている。
【００２７】
また、前記配線１０が前記ワイヤ巻き取り機構１１のケーシング１２の外面に取り付けられており、前記ワイヤ９および前記ワイヤ巻き取り機構１１により１つのアンテナ装置を構成している。
【００２８】
前記筐体２内には、図２に示すように、電話およびメール等の通信を行なう無線通信部１６と、前記入力表示装置３、前記携帯電話端末１の各種の制御を行なう制御部１７と、前記携帯電話端末１における各制御および各情報を記憶する情報記憶部１８とを有している。
【００２９】
また、前記制御部１７は、前記情報記憶部１８に記憶された各制御と前記入力表示装置３の表示および各入力キー４の機能とを対応づける機能テーブルを有している。
【００３０】
つぎに、このような構成からなる本実施形態の携帯電話端末１の作用について説明する。
【００３１】
本実施形態の携帯電話端末１において待機中の前記入力表示装置３には、例えば、図３に示すように、「電話帳検索」、「ダイヤルキー表示」、「メール」および「メニュー」といった使用頻度の高い機能が表示され、各入力キー４には、「通話」および「終話」の機能が割り当てられる。
【００３２】
ここで、ペン型入力手段７を用いて通話を行なう場合には、まず、筐体２に収納されたペン型入力手段７を引き出し、入力表示装置３に表示された「ダイヤルキー表示」を押圧する。
【００３３】
そして、入力表示装置３において「ダイヤルキー表示」が押圧されると、制御部１７により、例えば、図４に示すように、入力表示装置３に「０」〜「９」の数字、「＊」、「＃」、「発信」、「取消し」のダイヤルキーが表示され、これらのダイヤルキーをペン型入力手段７により押圧することにより、制御装置１７においてダイヤル信号の変調を行い、無線通信部１６よりアンテナ８、ワイヤ９およびワイヤ巻き取り機構１１を介してダイヤル信号が発信されて通話を行なうことができる。
【００３４】
そして、ペン型入力手段７による入力あるいは編集操作が終了した際には、引き出されたペン型入力手段７がワイヤ９とともにワイヤ巻き取り機構１１により巻取られ、筐体２内に収納される。
【００３５】
また、待機中において電話の着信を受けた際には、各入力キー４を押圧することにより、通話あるいは終話の制御を行なうことができる。
【００３６】
以上説明したように本発明の携帯電話端末１によれば、ペン型入力手段７により入力表示装置３の入力操作を容易に行なうことができるとともに、ペン型入力手段７がワイヤ９と接続され、ワイヤ巻き取り機構１１を介して無線通信部１６に接続されているため、ペン型入力手段７の紛失を防止することができる。
【００３７】
さらに、ワイヤ９およびワイヤ巻き取り機構１１が導電性材料から構成され、アンテナ８に接続されているため、携帯電話端末１の通信環境を向上させることができる。
【００３８】
また、ペン型入力手段７により入力表示装置３の細かい操作を行なうことができるので、携帯電話端末１を小型化することも可能となる。
【００３９】
なお、本発明は、前述した実施の形態に限定されるものではなく、必要に応じて種々の変更が可能である。例えば、本実施形態の携帯電話端末１においては、ワイヤ巻き取り機構１１と内蔵されたアンテナ８とをアンテナ機能のない通常の配線１０で接続させているが、アンテナ機能を有するワイヤで接続した構成としてもよい。
【００４０】
また、例えば、本実施形態の携帯電話端末１にＣＣＤカメラを内蔵することも可能であり、この場合、例えば、筐体２の背面側にＣＣＤカメラのレンズを配設するとともに、各入力キー４の他にカメラ起動用および撮影用の入力キーを配設することにより、カメラにより取り込まれた画像を入力表示装置３により確認しながら画像の撮影を行なうことができ、入力表示装置３において画像の編集を行なうことも可能である。
【図面の簡単な説明】
【００４１】
【図１】本発明の携帯電話端末の実施形態を示す一部破断の正面図
【図２】図１の携帯電話端末の構成を示すブロック図
【図３】本実施形態の携帯電話端末の入力表示装置の表示例を示す説明図
【図４】本実施形態の携帯電話端末の入力表示装置の表示例を示す説明図
【符号の説明】
【００４２】
１  携帯電話端末
２  筐体
３  入力表示装置
４  入力キー
５  マイク
６  スピーカ
７  ペン型入力手段
８  アンテナ
９  ワイヤ
１０  配線
１１  ワイヤ巻き取り機構
１２  ケーシング
１３  取付軸
１４  プーリ
１５  ばね
１６  無線通信部
１７  制御部
１８  情報記憶部
【図１】
2005244881.tif 000003
【図２】
2005244881.tif 000004
【図３】
2005244881.tif 000005
【図４】
2005244881.tif 000006